(57)【要約】【課題】簡易な操作で、平板部に装着されたウレタンや布地等の掃除部材に対して、均一的且つ効果的な絞りを可能とする掃除具を提供する。【解決手段】本考案は、伸縮自在のシャフト２と、シャフト２に対して移動自在であり一対の支持部４ａ，４ｂと操作時に把持するための把持部３ａを備えた筐体３と、筐体３の支持部４ａ，４ｂに装着された絞り部材４ｃと、シャフト２の先端に前記シャフトの長手方向に対する傾斜角が変更自在に装着される平板６と、平板６に装着される掃除部材７とを備え、絞り部材４ｃに当接する位置まで前記平板６の前記シャフト２の長手方向に対する傾斜角を変更して、把持部３ａを把持し筐体３をシャフト２に対して上下に移動させることで、絞り部材４ｃを掃除部材７の表面に当接させつつ移動させて掃除部材７を絞る掃除具１である。【選択図】図１
0003210468.tif 000002
【実用新案登録請求の範囲】
【請求項１】
シャフトと、
前記シャフトに対して移動自在の筐体と、
前記筐体に装着された絞り部材と、
前記シャフトの先端に前記シャフトの長手方向に対する傾斜角を変更自在に装着される平板と、
前記平板に装着される掃除部材と、を備え、
前記平板の前記シャフトの長手方向に対する傾斜角を変更して前記絞り部材に当接するようにし、前記筐体を前記シャフトに対して上下に移動させることで、前記絞り部材の当接により前記掃除部材を絞る
掃除具。
【請求項２】
前記筐体には、一対の支持部が配設されており、前記絞り部材は、バー状であり、その両端が前記支持部に支持されている
請求項１に記載の掃除具。
【請求項３】
前記筐体は、当該筐体を前記シャフトに対して上下に移動させるときに把持する把持部を備えている
請求項１又は請求項２に記載の掃除具。
【請求項４】
前記筐体と前記絞り部材との間には隙間があり、
前記絞り部材は、前記掃除部材が前記平板部と共に当該隙間を通過する過程で、当接により前記掃除部材を絞る
請求項１乃至請求項３のいずれか１項に記載の掃除具。
【請求項５】
伸縮自在のシャフトと、
前記シャフトに対して移動自在であり、一対の支持部と操作時に把持するための把持部を備えた筐体と、
前記筐体の前記支持部に両端が装着された絞り部材と、
前記シャフトの先端に前記シャフトの長手方向に対する傾斜角が変更自在に装着される平板と、
前記平板に装着される掃除部材と、を備え、
前記把持部は前記絞り部材と連動するトリガ部を有しており、
前記筐体と前記絞り部材との間には隙間があり、
前記把持部を把持し前記トリガ部を前記把持部側に押しながら前記筐体を前記シャフトに対して上下に移動すると、前記掃除部材が前記平板部と共に前記隙間を通過し、前記絞り部材は、該通過の過程で当接により前記掃除部材を絞る
掃除具。
【請求項６】
前記掃除部材は、天然素材のクロス、ウレタン、布地、不織布のいずれかである
請求項１乃至請求項５のいずれか１項に記載の掃除具。
【考案の詳細な説明】
【技術分野】
【０００１】
本考案は、例えば、プレートにウレタン、布地、又は天然素材のクロス等を取り付けて使用される所謂フラットモップ等の掃除具に係り、特に天然素材等からなるクロスに対する絞り機能を備えた掃除具に関する。
【背景技術】
【０００２】
従来、平板状の先端部にスポンジや布地を取り付けた掃除具が、床などの拭き掃除に用いられている。このような掃除具は、フラットモップとも称されているが、粉塵を巻上げないで埃と汚れを除去するのに好適である。そして、このようなフラットモップでは、その先端部に取り付けられたスポンジ等から水分を簡易且つ効率的に絞り出すために、種々の技術が提案されている。
【０００３】
例えば、掃除部材が洗浄された後、使用者は絞り機能付きフラットモップを持ち、片方の手でスリーブを握持し、もう片方の手でモップロッドを回転することで、回転部材の連動を利用して掃除部材の中央部に回転を発生させ、掃除部材の中央部が徐々にねじれ、掃除部材の両端に引張力が発生することによって、二つのサイドプレートの外端は掃除部材の両外端が互いに併せるまで掃除部材に向かって付勢し、且つモップロッドを継続的に回転することで、掃除部材を絞る絞り機能付きフラットモップが提案されている（例えば特許文献１等参照）。
【先行技術文献】
【特許文献】
【０００４】
【特許文献１】実用新案登録第３２０５０６２号公報
【考案の概要】
【考案が解決しようとする課題】
【０００５】
しかしながら、特許文献１に開示されたものは、所謂ねじれの作用により掃除部材を絞るものであることから、掃除部材全体に対する絞り度合いの均一性に欠けていた。さらに継続的な回転動作を伴うことから、絞り動作も煩雑なものであった。
【０００６】
本考案は、このような課題に鑑みてなされたものであり、その目的とするところは、簡易な操作で、平板部に装着された天然素材等からなる掃除部材に対する均一的且つ効果的な絞りを可能とすることにある。
【課題を解決するための手段】
【０００７】
上記課題を解決するため、本考案の一態様に係る掃除具は、シャフトと、前記シャフトに対して移動自在の筐体と、前記筐体に装着された絞り部材と、前記シャフトの先端に前記シャフトの長手方向に対する傾斜角が変更自在に装着される平板と、前記平板に装着される掃除部材とを備え、前記平板の前記シャフトの長手方向に対する傾斜角を変更して前記絞り部材に当接するようにし、前記筐体を前記シャフトに対して上下に移動させることで、前記絞り部材の当接により前記掃除部材を絞る。
【０００８】
この態様において、前記筐体には、一対の支持部が配設されており、前記絞り部材は前記支持部により支持されてもよい。さらに、前記筐体は、当該筐体を前記シャフトに対して上下に移動させるときに把持する把持部を備えていてもよい。また、前記筐体と前記絞り部材との間には隙間があり、前記絞り部材は、前記掃除部材が前記平板部と共に当該隙間を通過する過程で当接により前記掃除部材を絞る。
【０００９】
一方、本考案の他の態様に係る掃除具は、伸縮自在のシャフトと、前記シャフトに対して移動自在であり、一対の支持部と操作時に把持するための把持部を備えた筐体と、前記筐体の前記支持部に両端が装着された絞り部材と、前記シャフトの先端に前記シャフトの長手方向に対する傾斜角が変更自在に装着される平板と、前記平板に装着される掃除部材と、を備え、前記把持部は前記絞り部材と連動するトリガ部を有しており、前記筐体と前記絞り部材との間には隙間があり、前記把持部を把持し前記トリガ部を前記把持部側に押しながら前記筐体を前記シャフトに対して上下に移動すると、前記掃除部材が前記平板部と共に前記隙間を通過し、前記絞り部材は、該通過の過程で当接により前記掃除部材を絞る。
【００１０】
上記２つの態様において、前記掃除具は、天然素材のクロス、ウレタン、布地、不織布のいずれかであってよい。
【考案の効果】
【００１１】
本考案によれば、簡易な操作で、平板部に装着された天然素材等からなる掃除部材に対する均一的且つ効果的な絞りを可能とする掃除具を提供することができる。
【図面の簡単な説明】
【００１２】
【図１】本考案の一実施形態に係る掃除具の構成図である。
【図２】本考案の一実施形態に係る掃除具の構成図である。
【図３】本考案の一実施形態に係る掃除具の一部の断面図である。
【図４】同掃除具の平板部への掃除部材の取付けを説明する図である。
【考案を実施するための形態】
【００１３】
以下、図面を参照しつつ本考案の一実施形態について説明する。
【００１４】
図１乃至図３には、本考案の一実施形態に係る掃除具の構成を示し、説明する。より詳細には、図１（ａ）乃至図１（ｃ）は、絞り機構の操作を説明する斜視図であり、図２は掃除時の様子を示す斜視図であり、図３は、本考案の一実施形態に係る掃除具の一部の断面図である。以下、詳述する。
【００１５】
本実施形態に係る掃除具１は、乾拭きで埃や塵などの床面の汚れを拭き取ることが可能で、水拭きにより床面を綺麗に拭き仕上げる１台２役の機能を備える。従って、植物性の食用油やマヨネーズの汚れも拭いた後に後述する掃除部材を水で流すだけで綺麗にすることができ、手を汚すことなく掃除部材の水を切ることができる。また、後述するように自立型なので、倒れず、場所をとることなく置くことができる。
【００１６】
さらに、掃除部材は、汚れをしっかり取ることができるもので、掃除部材自体も水洗いだけで汚れが落ちる素材により構成されている。尚、床面だけでなく、窓や網戸、壁や風呂場等の平面な箇所であればどこでもきれに掃除することができる。さらに、後述するように、掃除部材を構成する天然素材の毛足が長い場合には、床の溝や網戸の網目の汚れも落とせる。本掃除具１に使用される掃除部材としてのクロスは、布だけで濡れて（クロスの表面だけ）絞りやすいのが特徴である。
【００１７】
図１乃至図３に示されるように、掃除具１は、伸縮自在のシャフト２を備えている。シャフト２は、第１シャフト部２ａと第２シャフト部２ｃとが、長さ調整部２ｂにより位置固定されるよう構成されており、長さ調整部２ｂを開けた状態で第２シャフト部２ｃの内空に一部が挿入された第１シャフト部２ａを引き出し、所望の長さのところで長さ調整部２ｂを閉じることで長さ調節することが可能となっている。
【００１８】
シャフト２には、当該シャフト２に一部が挿通し、当該シャフト２に対して移動自在となるように筐体３が設けられている。筐体３は、ドーム型の筐体本体部３ｂと当該筐体本体部３ｂから連続して設けられ当該筐体３をシャフト２に対して上下に移動させるときに操作者が把持する把持部３ａとを有している。この把持部３ａには、絞り部材４ｃと連動するトリガ部３ｃが設けられている。
【００１９】
より詳細には、図３に示されるように、筐体３の把持部３ａには、トリガ部３ｃが設けられており、トリガ部３ｃの先端３ｄは、軸部３ｆに当接している。この軸部３ｆはレール部材３ｅの中を上下に移動自在となっており、トリガ部３ｃを把持部３ａの方向、つまり図３中上方向に押すと、先端３ｄが軸部３ｆを押し上げる。この軸部３ｆは絞り部材４ｂと連動しているので、軸部３ｆがレール部材３ｅに沿って上方向に押し上げられると、絞り部材４ｂもそれに連動して上方向に押し上げられる。このようなトリガ部３ｃの操作により、絞り部材４ｂと隙間を通過する掃除部材７との当接具合、つまり絞り部材４ｂによる押圧力を調整することで、適切に水分を絞ることができる。
【００２０】
なお、図１（ａ）の状態では、筐体３の上部は長さ調整部２ｂの下端に嵌合され位置関係が保持される。
【００２１】
シャフト２の先端は、シャフト装着部２ｄに挿入されて、両者が位置固定される。このシャフト装着部２ｄは、回転部５を介して平板部６に装着されており、多数のスリットを周面に備えた略円筒状となっている。回転部５の作用により、平板部６は、シャフト２に対する傾斜角を変更できるようになっている。より詳細には、平板部６は、シャフト２の絞り部材４ｃが配設されている側に９０度から１８０度、シャフト２の絞り部材４ｃが配設されていない側に９０度から１５０度の範囲で、当該シャフト２の長さ方向に対する傾斜角を変更できるようになっている。但しこれは一例であって、これには限定されないことは勿論である。そして、平板部６の回転部５の配設面とは反対の面には、掃除部材７が装着されるようになっている。また、図１（ａ）の状態では、平板部６の開口部がシャフト装着部２ｄの突起に嵌合されて位置関係が保持される。
【００２２】
筐体３の略ドーム型の筐体本体部３ｂの両端には、一対の支持部４ａ，４ｂが設けられており、絞り部材４ｃは、当該支持部４ａ，４ｂにより支持されている。具体的には、絞り部材４ｃは、この例では、バー状（例えば長尺の円筒状）の形状を呈しており、その両端が支持部材４ａ，４ｂにより支持されている。このような位置関係では、筐体本体部３と絞り部材４ｃとの間に隙間が生まれ、掃除部材７は、平板部６と共に当該隙間を移動する過程で絞り部材４ｃの付勢力により絞られることになる。
【００２３】
以上のような構成において、図１（ａ）に示されるように平板部６及び掃除部材７の向きを長手方向がシャフト２の長手方向と平行となるように回転部５の回転により回転させて位置設定し、掃除部材７に水を当て、全面を濡らした後、図１（ｂ）、図１（ｃ）に示されるように、筐体３を、把持部３ａを把持してトリガ部３ｃを把持部３ａの方に押しながら下方向に移動させることで、絞り部材４ｃが掃除部材７に当接し移動し、掃除部材７を絞ることになる。スライドを２，３回続けると、掃除部材７の水を好適に絞ることができる。尚、絞り部材４ｃを支持部４ａ，４ｂに対して回転可能なローラー部材としてもよいことは勿論である。
【００２４】
ここで、図４には、掃除具１の平板部６への掃除部材７の取付けを示し説明する。
【００２５】
同図に示されるように、平板部６には、面ファスナー等の装着部６ａと係止部６ｂとが設けられており、図４（ａ）に示される状態から、掃除部材７を面ファスナー等の装着部６ａに装着し、その両端を係止部６ｂに係止させることで、図４（ｂ）に示されるように装着される。尚、掃除部材７は、レーヨン（天然パルプ）等のクロス素材、ウレタン、布地、不織布等、種々のものを採用することが可能である。この例では、毛足の長いレーヨン（天然パルプ）からなるクロス素材を採用している。
【００２６】
なお、拭き掃除のみを行うときには、筐体３を取り外せば、より軽量化され、効率的に掃除を行うことができることは勿論である。掃除具１を使用しないときには、図１（ａ）に示したような状態で床面に立てることが可能である。
【００２７】
以上説明したように、本考案の一実施形態によれば、伸縮自在のシャフト２と、シャフト２に対して移動自在であり一対の支持部４ａ，４ｂと操作時に把持するための把持部３ａを備えた筐体３と、筐体３の支持部４ａ，４ｂに装着された絞り部材４ｃと、シャフト２の先端に装着される平板６と、平板６に装着される掃除部材７とを備え、筐体３と絞り部材４ｃとの間には隙間があり、絞り部材４ｃに当接する位置に平板６を前記シャフトの長さ方向に対して略平行となるまで回転させて、把持部３ａを把持してトリガ部３ｃを把持部３ａ側に押しながら筐体３をシャフト２に対して上下に移動させることで、絞り部材が平板部６と共に隙間を通過し、絞り部材４ｃは該通過の過程で掃除部材７への当接により掃除部材７を絞る。
【００２８】
従って、筐体をシャフトに対して上下に移動させるという簡易な操作により、絞り部材が掃除部材の表面に均一に当接しつつ移動するので、絞り部材の付勢力により簡易且つ効果的に掃除部材を絞り、水分を除去することが可能となる。
【００２９】
以上、本考案の一実施形態について説明したが、本考案はこれに限定されることなくその趣旨を逸脱しない範囲で種々の改良・変更が可能であることは勿論である。
【００３０】
例えば、平板部に装着される掃除部材は、前述したウレタン、布地、レーヨン（天然パルプ）などのクロス素材に限定されるものではなく、不織布等を装着するようにしてもよく、装着方法も前述した手法に限定されるものではない。
【符号の説明】
【００３１】
１…掃除具
２…シャフト部
２ａ…第１シャフト部
２ｂ…長さ調節部
２ｃ…第２シャフト部
２ｄ…シャフト装着部
３…筐体
３ａ…把持部
３ｂ…筐体本体部
３ｃ…トリガ部
３ｄ…先端
３ｅ…レール部材
３ｆ…軸部
４…絞り機構
４ａ…支持部
４ｂ…支持部
４ｃ…絞り部材
５…回転部
６…平板部
６ａ…装着部
６ｂ…係止部
７…掃除部材
【図１】
0003210468.tif 000003
【図２】
0003210468.tif 000004
【図３】
0003210468.tif 000005
【図４】
0003210468.tif 000006